(57)【要約】【課題】高速な時間的フェージングによる受信電界強度の変動に対しても迅速に追従でき、移動体の高速移動時においてもデータの通信速度を低下させることなく安定して通信できる信頼性に優れた無線通信方法および無線通信装置を提供する。【解決手段】第１既知信号が配されたプリアンブル領域と、それに続くデータ領域とを有し、データ領域には少なくとも時間軸方向に第２既知信号が複数配された受信フレームにおけるデータ領域を、時間軸方向において第２既知信号を含む複数の分割領域として把握し、プリアンブル領域の第１既知信号に基づいて算出した初期重み係数を、データ領域の順次の分割領域において、当該分割領域に含まれる第２既知信号に基づいて順次更新しながら、各分割領域のデータ信号に、当該分割領域に含まれる第２既知信号に基づいて更新された更新重み係数を重み付けする。【選択図】図１
2008206058.tif 000002
【特許請求の範囲】
【請求項１】
複数のアンテナを有し、マルチキャリア方式により無線通信を行う無線通信方法において、
第１既知信号が配されたプリアンブル領域と、該プリアンブル領域に続くデータ領域とを有し、該データ領域には少なくとも時間軸方向に第２既知信号が複数配された受信フレームの信号を、前記複数のアンテナを介して受信する受信ステップと、
前記データ領域を、時間軸方向において、それぞれ前記第２既知信号を含む複数の分割領域として把握する把握ステップと、
前記プリアンブル領域の前記第１既知信号に基づいて、前記データ領域のデータ信号に対する初期重み係数を算出する初期重み係数算出ステップと、
前記初期重み係数を、前記データ領域の順次の分割領域において、当該分割領域に含まれる前記第２既知信号に基づいて順次更新しながら、各分割領域のデータ信号に、当該分割領域に含まれる前記第２既知信号に基づいて更新された更新重み係数を重み付けする重み付けステップと、
を含むことを特徴とする無線通信方法。
【請求項２】
前記無線通信は、時分割複信方式であり、
送信においては、直前の前記受信フレームに対して、前記初期重み係数算出ステップで算出された初期重み係数を、送信信号に重み付けすることを特徴とする請求項１に記載の無線通信方法。
【請求項３】
前記無線通信は、時分割複信方式であり、
送信においては、直前の受信フレームに対して、前記重み付けステップで順次更新された最後の更新重み係数を、送信信号に重み付けすることを特徴とする請求項１に記載の無線通信方法。
【請求項４】
複数のアンテナを有し、マルチキャリア方式により無線通信を行う無線通信装置において、
第１既知信号が配されたプリアンブル領域と、該プリアンブル領域に続くデータ領域とを有し、該データ領域には少なくとも時間軸方向に第２既知信号が複数配された受信フレームの信号を、前記複数のアンテナを介して受信する受信手段と、
前記プリアンブル領域の前記第１既知信号に基づいて、前記データ領域のデータ信号に対する初期重み係数を算出する初期重み係数算出手段と、
前記データ領域を、時間軸方向において、それぞれ前記第２既知信号を含む複数の分割領域として把握して、前記初期重み係数算出手段で算出された初期重み係数を、前記データ領域の順次の分割領域において、当該分割領域に含まれる前記第２既知信号に基づいて順次更新する重み係数更新手段と、
各分割領域のデータ信号に、当該分割領域に含まれる前記第２既知信号に基づいて前記重み係数更新手段で更新された更新重み係数を重み付けする重み付け手段と、
を有することを特徴とする無線通信装置。
【発明の詳細な説明】
【技術分野】
【０００１】
本発明は、マルチアンテナを用いる無線通信方法および無線通信装置に関するものである。
【背景技術】
【０００２】
マルチアンテナを用いる無線通信装置として、例えば図４および図５に示す構成のものが知られている。なお、図４は、受信部の機能ブロック図を示しており、図５は、送信部の機能ブロック図を示している。この無線通信装置は、例えば基地局として設置されるもので、マルチアンテナを構成する複数のアンテナ１０１−１〜１０１−ｋを有し、ＴＤＤ（Time Division Duplexing:時分割複信）方式により送受信ともアンテナダイバーシティを実行しながら、マルチキャリアを用いるＯＦＤＭ（Orthogonal Frequency Division Multiplexing:直交周波数分割多重）を変調方式として採用して、３多重のＳＤＭＡ（Spatial Division Multiple Access:空間分割多元接続）を実現するものである。
【０００３】
図６は、図４および図５に示す無線通信装置によるＯＦＤＭのフレーム構成の一例を示すものである。このフレーム構成は、ＩＥＥＥ８０２．１６−２００５においてＢａｎｄ ＡＭＣ（Adaptive Modulation and Coding）として提案されているもので、アップリンクサブフレームＵＬと、ダウンリンクサブフレームＤＬと、これら間に設けられたガードタイムＴＴｇとを有している。
【０００４】
アップリンクサブフレームＵＬには、端末に対応する第１既知信号であるプリアンブルＰｒｅを有するプリアンブルエリアと、それに続くデータエリアとを有しており、データエリアには、時間軸方向および周波数軸方向に、同期確立の参照信号である第２既知信号（既知シンボル）としてパイロットＰｔ（サブキャリア）が複数挿入されている。また、ダウンリンクサブフレームＤＬには、そのデータエリアに、同期確立の参照信号である既知シンボルのパイロットＰｔ（サブキャリア）が挿入されている。なお、図６は、１バンドが２つのサブチャネルからなっており、１サブチャネルは２つのビン（Ｂｉｎ）からなり、１ビンが９サブキャリアからなる場合を示している。
【０００５】
図４に示す受信部において、アンテナ１０１−１〜１０１−ｋで受信された信号は、アンテナ毎の受信マッピング処理部１０２−１〜１０２−ｋに入力される。受信マッピング処理部１０２−１〜１０２−ｋは、同様に構成されており、図４に代表して受信マッピング処理部１０２−１の構成を示すように、ＣＰ除去部１０３、Ｓ／Ｐ変換部１０４、ＦＦＴ１０５および論理マッピング部１０６を有している。
【０００６】
アンテナ１０１−１からの受信信号は、ＣＰ除去部１０３でサイクリックプリフィックス（ＣＰ）が除去された後、Ｓ／Ｐ変換部１０４でサブキャリア数のデータ系列に直並列（Ｓ／Ｐ）変換される。その後、ＦＦＴ１０５で高速フーリエ変換されて、時間領域の信号から周波数領域のサブキャリア毎のベースバンド信号に変換され、さらに、論理マッピング部１０６で周波数マッピングされる。
【０００７】
論理マッピング部１０６で周波数マッピングされた信号は、他のアンテナに対応する受信マッピング処理部１０２−２〜１０２−ｋからの信号とともに、プリアンブル抽出部１０７および合成部１０８に供給され、プリアンブル抽出部１０７において、プリアンブル信号が抽出されて受信重みベクトル算出部１０９に供給され、該受信重みベクトル算出部１０９においてプリアンブル信号に基づいて、端末毎（バンド毎）に最大の受信ゲインが得られる重み係数である受信重みベクトル（受信アレーウエイト）が算出される。なお、この受信重みベクトルは、アンテナ１０１−１〜１０１−ｋによるアンテナダイバーシティの方式、例えばアダプティブ・アンテナ・システム（ＡＡＳ）やＭＩＭＯに応じて算出される。
【０００８】
ここで、受信重みベクトルは、Ｗ（ｍ）で表すと、下記の（１）式で求めることができる。
【０００９】
【数１】
2008206058.tif 000003
【００１０】
上記（１）式において、Ｒｘｘ（ｍ）は、プリアンブル信号における自己相関行列を表すもので、下記の（２）式により算出することができる。また、ｒｘｒ（ｍ）は、プリアンブル信号と参照信号との相互相関ベクトルを表すもので、下記の（３）式により算出することができる。
【００１１】
【数２】
2008206058.tif 000004
【００１２】
この受信重みベクトル算出部１０９で算出された端末毎の受信重みベクトルは、送信部に送信重みベクトルとして供給されるとともに、合成部１０８に供給され、該合成部１０８において対応する端末の受信信号に合成される。この合成部１０８で受信重みベクトルが合成された端末毎の受信信号は、端末毎に復号部１１０−１〜１１０−３に供給される。
【００１３】
復号部１１０−１〜１１０−３は、同様に構成されており、図４に代表して復号部１１０−１の構成を示すように、Ｐ／Ｓ変換部１１１、復調部１１２およびデコーダ１１３を有している。合成部１０８からの合成受信信号は、Ｐ／Ｓ変換部１１１で並直列（Ｐ／Ｓ）変換された後、復調部１１２で復調され、さらにデコーダ１１３で復号されて受信データとして出力される。
【００１４】
このようにして、受信部では、アップリンクサブフレームＵＬにおけるプリアンブルの受信信号に基づいて、アンテナ１０１−１〜１０１−ｋからの受信信号に対して、周波数選択性フェージングによる変動を押さえて、高いダイバーシティゲインが得られるような重み付けを行う受信処理を行っている。
【００１５】
一方、図５に示す送信部においては、各端末に対する送信データが、対応するエンコーダ１２１−１〜１２１−３で符号化され、さらに変調部１２２−１〜１２２−３で変調された後、送信ビーム生成部１２３−１〜１２３−３に供給され、ここで受信部において算出された送信重みベクトルが合成される。
【００１６】
送信ビーム生成部１２３−１〜１２３−３の出力は、合成部１２４でアンテナ毎に合成された後、アンテナ毎の送信マッピング処理部１２５−１〜１２５−ｋに供給される。送信マッピング処理部１２５−１〜１２５−ｋは、同様に構成されており、図５に代表して送信マッピング処理部１２５−１の構成を示すように、物理マッピング部１２６、ＩＦＦＴ１２７、Ｐ／Ｓ変換部１２８およびＣＰ挿入部１２９を有している。
【００１７】
合成部１２４で合成されたアンテナ毎の合成信号は、物理マッピング部１２６でサブキャリア単位にマッピングされ、さらに、ＩＦＦＴ１２７で逆高速フーリエ変換されて、周波数領域の信号からサブキャリア数の時間領域の信号に変換された後、Ｐ／Ｓ変換部１２８で並直列（Ｐ／Ｓ）変換され、その後、ＣＰ挿入部１２９でサイクリックプリフィックス（ＣＰ）が挿入されて、対応するアンテナ１０１−１〜１０１−ｋから送信される。
【００１８】
このようにして、送信部では、受信部側で算出された端末毎の送信重みベクトルに基づいて、次のダウンリンクサブフレームＤＬにおいて、アンテナ１０１−１〜１０１−ｋから送信する送信信号に重み付けすることにより、所要の端末側で最も高い合成ゲインが得られるようにしている。
【００１９】
すなわち、上述した従来の無線通信装置では、図７に模式的に示すように、アップリンクサブフレームＵＬで受信したプリアンブルの受信信号に基づいて算出した受信重みベクトルを、アップリンクサブフレームＵＬのデータエリアの受信に適用するとともに、ダウンリンクサブフレームＤＬのデータエリアの送信アレーウエイトとして適用することで、例えば図８に示すように、アンテナ１０１−１〜１０１−ｋによる指向性パターンを、３多重した端末ＵＴ０〜ＵＴ２からの所望信号の到来方向に向けるように制御するアダプティブビームフォーミングを行うとともに、指向性パターンのヌル点を妨害波方向に向けるように制御するアダプティブヌルステアリングを行うようにしている。なお、図８は、水平面内における指向性パターンを示しており、横軸は利得、縦軸は０°方向の距離を表している。
【００２０】
図４および図５に示した無線通信装置は、複数のサブキャリアを用いるので、周波数選択性フェージングによる受信電界強度の変動に対しては効果があるが、移動体（端末）が高速移動した場合のマルチパスの変動、すなわち時間的フェージングに対する追従性能がフレームサイズに依存してしまうため、フレームサイズよりも速い時間的フェージングが生じた場合には、その受信電界強度の変動に追従できないため、特に受信品質が劣化することになる。
【００２１】
なお、伝播路の時間的フェージングによる受信電界強度の変動を補償する無線通信装置としては、例えば、パケット等のデータストリームの通信において、受信成功していた処理時に計算された重みをいくつか保存し、受信エラーしたデータの再送時に、保存されている重みの中から再送時にアンテナダイバーシティゲインが最大となるような重みを選択して再送処理することで、伝播路の時間的フェージングによる受信電界強度の変動に対しての追従性能を確保するようにしたものが知られている（例えば、特許文献１参照）。
【特許文献１】特開２００４−１１２０９８号公報
【発明の開示】
【発明が解決しようとする課題】
【００２２】
しかしながら、上記特許文献１に開示の無線通信装置では、受信エラーを起こしたデータストリームの再送処理時に、過去に計算された重みを用いて時間的フェージングによる受信電界強度の変動を補償するものであるため、時間的フェージングに対して迅速に対応することができない。このため、特に、移動体の高速移動等によって生じる高速な時間的フェージングによる変動に対しては追従できず、その結果、再送処理時が頻繁に行われるようになって、通信速度の低下を招くことが懸念される。
【００２３】
したがって、かかる事情に鑑みてなされた本発明の目的は、高速な時間的フェージングによる受信電界強度の変動に対しても迅速に追従でき、移動体の高速移動時においてもデータの通信速度を低下させることなく安定して通信できる信頼性に優れた無線通信方法および無線通信装置を提供することにある。
【課題を解決するための手段】
【００２４】
上記目的を達成する請求項１に係る無線通信方法の発明は、複数のアンテナを有し、マルチキャリア方式により無線通信を行う無線通信方法において、
第１既知信号が配されたプリアンブル領域と、該プリアンブル領域に続くデータ領域とを有し、該データ領域には少なくとも時間軸方向に第２既知信号が複数配された受信フレームの信号を、前記複数のアンテナを介して受信する受信ステップと、
前記データ領域を、時間軸方向において、それぞれ前記第２既知信号を含む複数の分割領域として把握する把握ステップと、
前記プリアンブル領域の前記第１既知信号に基づいて、前記データ領域のデータ信号に対する初期重み係数を算出する初期重み係数算出ステップと、
前記初期重み係数を、前記データ領域の順次の分割領域において、当該分割領域に含まれる前記第２既知信号に基づいて順次更新しながら、各分割領域のデータ信号に、当該分割領域に含まれる前記第２既知信号に基づいて更新された更新重み係数を重み付けする重み付けステップと、
を含むことを特徴とするものである。
【００２５】
請求項２に係る発明は、請求項１に記載の無線通信方法において、
前記無線通信は、時分割複信方式であり、
送信においては、直前の前記受信フレームに対して、前記初期重み係数算出ステップで算出された初期重み係数を、送信信号に重み付けすることを特徴とするものである。
【００２６】
請求項３に係る発明は、請求項１に記載の無線通信方法において、
前記無線通信は、時分割複信方式であり、
送信においては、直前の受信フレームに対して、前記重み付けステップで順次更新された最後の更新重み係数を、送信信号に重み付けすることを特徴とするものである。
【００２７】
さらに、上記目的を達成する請求項４に係る無線通信装置の発明は、複数のアンテナを有し、マルチキャリア方式により無線通信を行う無線通信装置において、
第１既知信号が配されたプリアンブル領域と、該プリアンブル領域に続くデータ領域とを有し、該データ領域には少なくとも時間軸方向に第２既知信号が複数配された受信フレームの信号を、前記複数のアンテナを介して受信する受信手段と、
前記プリアンブル領域の前記第１既知信号に基づいて、前記データ領域のデータ信号に対する初期重み係数を算出する初期重み係数算出手段と、
前記データ領域を、時間軸方向において、それぞれ前記第２既知信号を含む複数の分割領域として把握して、前記初期重み係数算出手段で算出された初期重み係数を、前記データ領域の順次の分割領域において、当該分割領域に含まれる前記第２既知信号に基づいて順次更新する重み係数更新手段と、
各分割領域のデータ信号に、当該分割領域に含まれる前記第２既知信号に基づいて前記重み係数更新手段で更新された更新重み係数を重み付けする重み付け手段と、
を有することを特徴とするものである。
【発明の効果】
【００２８】
本発明によれば、受信フレームにおけるデータ領域を、時間軸方向において第２既知信号を含む複数の分割領域として把握し、プリアンブル領域の第１既知信号に基づいて算出した初期重み係数を、データ領域の順次の分割領域において、当該分割領域に含まれる第２既知信号に基づいて順次更新しながら、各分割領域のデータ信号に、当該分割領域に含まれる第２既知信号に基づいて更新された更新重み係数を重み付けするようにしたので、高速な時間的フェージングによる変動に対しても迅速に追従することができる。したがって、移動体の高速移動時においても、データの通信速度を低下させることなく通信可能で、信頼性に優れた無線送受信方法および無線送受信装置を実現することができる。
【発明を実施するための最良の形態】
【００２９】
以下、本発明の実施の形態について、図を参照して説明する。
【００３０】
図１は、本発明の一実施の形態に係る無線通信装置の受信部の要部の構成を示す機能ブロック図である。本実施の形態の無線通信装置は、図４および図５に示した無線通信装置と同様に、例えば基地局として設置されるもので、マルチアンテナを構成する複数のアンテナ１−１〜１−ｋを有し、ＴＤＤ（時分割複信）方式により送受信ともアンテナダイバーシティを実行しながら、ＯＦＤＭ変調方式を採用して、３多重のＳＤＭＡを実現するものである。なお、ＯＦＤＭのフレーム構成は、図６に示したＢａｎｄ ＡＭＣとする。
【００３１】
図１において、アンテナ１−１〜１−ｋで受信された信号は、アンテナ毎の受信マッピング処理部２−１〜２−ｋに供給する。受信マッピング処理部２−１〜２−ｋは、同様に構成されており、図１に代表して受信マッピング処理部２−１の構成を示すように、ＣＰ除去部３、Ｓ／Ｐ変換部４、ＦＦＴ５および論理マッピング部６を有している。
【００３２】
アンテナ１−１からの受信信号は、ＣＰ除去部３でサイクリックプリフィックス（ＣＰ）を除去した後、Ｓ／Ｐ変換部４でサブキャリア数のデータ系列に直並列（Ｓ／Ｐ）変換する。その後、ＦＦＴ５で高速フーリエ変換して、時間領域の信号から周波数領域のサブキャリア毎のベースバンド信号に変換し、さらに、論理マッピング部６で周波数マッピングする。したがって、本実施の形態では、アンテナ１−１〜１−ｋおよび受信マッピング処理部２−１〜２−ｋにより、受信手段を構成している。
【００３３】
論理マッピング部６で周波数マッピングされた信号は、他のアンテナに対応する受信マッピング処理部２−２〜２−ｋからの信号とともに、プリアンブル抽出部７およびパイロット抽出部８に供給するとともに、合成部９に供給する。
【００３４】
プリアンブル抽出部７は、受信信号からプリアンブル信号を抽出して受信重みベクトル算出部１０に供給し、該受信重みベクトル算出部１０においてプリアンブル信号に基づいて、上述した（１）により、端末毎（バンド毎）に最大の受信ゲインが得られる初期の受信重みベクトル（受信アレーウエイト）、すなわち初期重み係数を算出する。したがって、本実施の形態では、プリアンブル抽出部７および受信重みベクトル算出部１０により、初期重み係数算出手段を構成している。なお、この受信重みベクトルは、アンテナ１−１〜１−ｋによるアンテナダイバーシティの方式、例えばアダプティブ・アンテナ・システム（ＡＡＳ）やＭＩＭＯ（Multiple Input Multiple Output）に応じて算出する。
【００３５】
パイロット抽出部８は、受信信号からパイロットを抽出して受信重みベクトル更新部１１に供給し、該受信重みベクトル更新部１１において、受信重みベクトル算出部１０で算出された初期の受信重みベクトルを逐次更新する。したがって、本実施の形態では、パイロット抽出部８および受信重みベクトル更新部１１により、重み係数更新手段を構成している。
【００３６】
受信重みベクトル更新部１１で更新された端末毎の受信重みベクトルは、重み付け手段を構成する合成部９に供給し、該合成部９において対応する端末の受信信号に合成する。この合成部９で受信重みベクトルが合成された端末毎の受信信号は、端末毎の復号部１２−１〜１２−３に供給する。また、受信重みベクトル更新部１１は、アップリンクサブフレームにおいて、最後に更新された端末毎の受信重みベクトルを、送信重みベクトル（送信アレーウエイト）として、図示しない送信部に供給する。
【００３７】
復号部１２−１〜１２−３は、同様に構成されており、図１に代表して復号部１２−１の構成を示すように、Ｐ／Ｓ変換部１３、復調部１４およびデコーダ１５を有している。合成部９からの合成受信信号は、Ｐ／Ｓ変換部１３で並直列（Ｐ／Ｓ）変換した後、復調部１４で復調し、さらにデコーダ１５で復号して受信データとして出力する。
【００３８】
本実施の形態では、図２にＢａｎｄ ＡＭＣのフレーム構成を示すように、アップリンクサブフレームＵＬのデータエリアを、時間軸方向に複数のデータブロックに分割する。図２では、Ｂａｎｄ ＡＭＣにおける１スロットの時間軸方向シンボル数である３シンボル毎に、４つのデータブロックＢ１〜Ｂ４に分割した場合を示している。
【００３９】
このようにして、アップリンクサブフレームＵＬの受信においては、先ず、受信重みベクトル算出部１０において、上述した（１）式によりプリアンブルＰｒｅの受信信号に基づいて初期の受信重みベクトル（受信アレーウエイト）を演算する。次に、データエリアの最初のデータブロックＢ１については、受信重みベクトル更新部１１において、パイロット抽出部８で抽出された当該データブロックＢ１のプリアンブルＰｒｅの受信信号に基づいて、受信重みベクトル算出部１０で算出した初期の受信重みベクトルを更新し、その更新した受信重みベクトルを、合成部９において対応する端末のデータブロックＢ１における受信信号に即時適用して合成する。
【００４０】
同様に、次のデータブロックＢ２については、受信重みベクトル更新部１１において、パイロット抽出部８で抽出された当該データブロックＢ２のプリアンブルＰｒｅの受信信号に基づいて、直前のデータブロックＢ１で更新した受信重みベクトルをさらに更新し、その更新した受信重みベクトルを、合成部９において対応する端末のデータブロックＢ２における受信信号に即時適用して合成する。
【００４１】
このように、アップリンクサブフレームＵＬにおいては、受信重みベクトル算出部１０でプリアンブルＰｒｅの受信信号に基づいて算出した初期の受信重みベクトルＷ（ｍ）を、データエリア内の順次のデータブロックＢ１〜Ｂ４において、パイロット抽出部８で抽出したパイロットＰｔの受信信号に基づいて、受信重みベクトル更新部１１で順次更新しながら、合成部９において、各データブロックの受信信号に即時適用して合成する。
【００４２】
また、ダウンリンクサブフレームＤＬの送信においては、直前のアップリンクサブフレームＵＬにおいて、データエリアの最後のデータブロックＢ４におけるパイロットＰｔの受信信号を用いて受信重みベクトル更新部１１で更新された受信重みベクトルを、送信重みベクトル（送信アレーウエイト）として送信部に出力する。
【００４３】
なお、送信部は、図示しないが図１と同様に構成して、受信部側で算出された端末毎の送信重みベクトルに基づいて、次のダウンリンクサブフレームＤＬにおいて、アンテナ１−１〜１−ｋから送信する送信信号に重み付けすることにより、所要の端末側で最も高い合成ゲインが得られるようにする。
【００４４】
ここで、アップリンクサブフレームＵＬの各データブロックにおいて更新される受信重みベクトル（更新重み係数）をＷＢ（ｎ）とすると、ＷＢ（ｎ）は、例えば下記の（４）式により算出する。
【００４５】
【数３】
2008206058.tif 000005
【００４６】
上記（４）式において、Ｒｘｘ，Ｂ（ｎ）は、下記の（５）式により算出することができ、また、ｒｘｒ，Ｂ（ｎ）は、下記の（６）式により算出することができる。
【００４７】
【数４】
2008206058.tif 000006
【００４８】
なお、受信重みベクトルを更新するアップリンクサブフレームＵＬにおけるデータエリアのデータブロック化は、任意に設定しても良いし、ドップラーシフト量等の推定値や、移動体（端末）の速度、あるいは遅延波の度合いに追従して自動的に変更するようにしても良い。
【００４９】
また、上記の受信重みベクトルの更新処理は、好ましくは、端末が所定速度以上、例えばフレームサイズよりも速い速度で移動している場合にのみ行うようにする。なお、端末の移動速度は、例えば、アップリンクサブフレームＵＬのデータエリアにおける周波数軸上の上下のパイロットの位相差、あるいは時間軸上の前後のパイロットの位相差に基づいて算出することができる。
【００５０】
図３は、図１に示した受信部の動作を示すフローチャートである。図３に示すフローチャートは、上述した説明と重複するので、ここでは簡単に説明する。受信動作では、先ず、受信信号からサイクリックプリフィックス（ＣＰ）を除去し（ステップＳ１）、次に、直列の受信信号をサブキャリア数のデータ系列に並列にＳ／Ｐ変換する（ステップＳ２）。その後、ＦＦＴ（高速フーリエ変換）処理して、時間領域の信号から周波数領域のサブキャリア毎のベースバンド信号に変換し（ステップＳ３）、さらに、周波数マッピング（ステップＳ４）する。次に、受信信号からプリアンブル信号を抽出して（ステップＳ５）、初期の受信重みベクトルを算出する（ステップＳ６）。
【００５１】
その後、データブロックの有無を判定して（ステップＳ７）、データブロックが有れば、当該データブロックからパイロットを抽出して（ステップＳ８）、受信重みベクトルを更新し（ステップＳ９）、その更新した受信重みベクトルを当該データブロックの受信信号に合成して（ステップＳ１０）、ステップＳ７に移行する。
【００５２】
ステップＳ７において、データブロックが無いと判定された場合には、アップリンクサブフレームＵＬにおける受信データの重み付けが終了したことになるので、次に、受信重みベクトルが合成された並列の受信信号を直列にＰ／Ｓ変換し（ステップＳ１１）、その後、復調（ステップＳ１２）および復号（ステップＳ１３）して、受信処理を終了する。
【００５３】
このように、本実施の形態においては、アップリンクサブフレームＵＬのデータエリアを、時間軸方向に複数のデータブロックに分割し、プリアンブルＰｒｅの受信信号に基づいて算出した初期の受信重みベクトルを、順次のデータブロックにおいて、パイロットＰｔの受信信号に基づいて順次更新しながら、各データブロックの受信信号に合成するようにしたので、ＳＤＭＡを実現しながら、フレームサイズよりも高速な時間的フェージングによる受信電界強度の変動に対しても迅速に追従でき、移動体（端末）の高速移動時においても高速なデータ転送を維持できる安定した無線通信を行うことができる。
【００５４】
なお、本発明は、上記実施の形態にのみ限定されるものではなく、幾多の変形または変更が可能である。例えば、上記実施の形態では、アップリンクサブフレームＵＬの最後のデータブロックにおけるパイロットＰｔの受信信号を用いて更新された受信重みベクトルを、次のダウンリンクサブフレームＤＬにおける送信重みベクトル（送信アレーウエイト）として適用するようにしたが、この送信重みベクトルは、アップリンクサブフレームＵＬのプリアンブルＰｒｅの受信信号に基づいて算出した初期の受信重みベクトルを適用することもできる。
【００５５】
また、本発明は、ＳＤＭＡを行わない場合にも適用できるとともに、Ｂａｎｄ ＡＭＣのフレーム構成に限らず、ＦＵＳＣ等の他のフレーム構成を採用する場合にも有効に適用することができる。さらに、複信方式も、ＴＤＤ方式に限らず、ＦＤＤ（周波数分割複信）方式の場合にも適用することができる。
【図面の簡単な説明】
【００５６】
【図１】本発明の一実施の形態に係る無線通信装置の受信部の要部の構成を示す機能ブロック図である。
【図２】図１に示した無線通信装置による重み付け動作を模式的に示す図である。
【図３】図１に示した受信部の動作を示すフローチャートである。
【図４】従来の無線通信装置の受信部の要部の構成を示す機能ブロック図である。
【図５】従来の無線通信装置の送信部の要部の構成を示す機能ブロック図である。
【図６】図４および図５に示す無線通信装置によるＯＦＤＭのフレーム構成の一例を示す図である。
【図７】従来の無線通信装置による重み付け動作を模式的に示す図である。
【図８】従来の無線通信装置によるアンテナの指向性パターンの制御例を示す図である。
【符号の説明】
【００５７】
１−１〜１−ｋ  アンテナ
２−１〜２−ｋ  受信マッピング処理部
３  ＣＰ除去部
４  Ｓ／Ｐ変換部
５  ＦＦＴ
６  論理マッピング部
７  プリアンブル抽出部
８  パイロット抽出部
９  合成部
１０  受信重みベクトル算出部
１１  受信重みベクトル更新部
１２−１〜１２−３  復号部
１３  Ｐ／Ｓ変換部
１４  復調部
１５  デコーダ
【図１】
2008206058.tif 000007
【図２】
2008206058.tif 000008
【図３】
2008206058.tif 000009
【図４】
2008206058.tif 000010
【図５】
2008206058.tif 000011
【図６】
2008206058.tif 000012
【図７】
2008206058.tif 000013
【図８】
2008206058.tif 000014